【手続補正書】
【提出日】平成25年11月26日(2013.11.26)
【手続補正１】
【補正対象書類名】特許請求の範囲
【補正対象項目名】全文
【補正方法】変更
【補正の内容】
【特許請求の範囲】
【請求項１】
動画データを出力する撮像手段と、
予め用意された１以上のシーンに対応した動画データを記録するためのデータであって、各シーンの推奨撮影時間の情報を含むシナリオデータを記憶するシナリオ記憶手段と、
前記シナリオデータに基づいて、前記シナリオデータの各シーンに対応した、前記撮像手段により得られた動画データを記録媒体に記録する記録手段と、
動画データの記録に関する指示を受ける操作入力手段と、
前記シナリオデータの各シーンに対応した動画データを記録する場合の記録時間として、前記各シーンの推奨撮影時間と、所定の時間の何れかを、前記操作入力手段の指示に応じて選択する選択手段と、
前記シナリオデータの各シーンに対応する動画データを記録する場合、動画データの記録開始の指示に応じて、前記記録手段による前記動画データの記録を開始し、前記選択手段により選択される記録時間の経過に応じて、前記記録手段による前記動画データの記録を停止する制御手段
とを有することを特徴とする撮像装置。
【請求項２】
前記シナリオ記憶手段は、複数の前記シナリオデータを記憶し、
前記選択手段は、前記シナリオデータのシーンに対応した動画データを記録する場合の記録時間として、前記シナリオ記憶手段に記憶された複数の前記シナリオデータから選択されたシナリオデータの推奨撮影時間と前記所定の時間の何れかを選択する
ことを特徴とする請求項１に記載の撮像装置。
【請求項３】
前記撮像手段により得られた動画データを示す画像と、前記シナリオデータのシーン名及び前記推奨撮影時間に関する情報を表示する表示手段を有することを特徴とする請求項１又は２に記載の撮像装置。
【請求項４】
前記表示手段は更に、前記シナリオデータに含まれる複数のシーンから選択されたシーンに対応した動画データの記録中に、前記選択されたシーンのシーン名と前記選択されたシーンの推奨撮影時間の情報を表示することを特徴とする請求項１から３の何れか１項に記載の撮像装置。
【請求項５】
前記制御手段は更に、記録開始後、前記選択手段により選択された記録時間が経過したことに応じて自動的に前記記録手段による記録を停止させる自動停止モードと、記録開始後、前記操作入力手段からの記録停止の指示に応じて前記記録手段による記録を停止させる手動停止モードの一方を、前記操作入力手段からの指示に応じて選択し、前記選択したモードに応じて前記記録手段を制御することを特徴とする請求項１から４の何れか１項に記載の撮像装置。
【請求項６】
予め用意された１以上のシーンに対応した、撮像手段により得られた動画データを記録するためのデータであって、各シーンの推奨撮影時間の情報を含むシナリオデータに基づいて、前記各シーンに対応した動画データを記録媒体に記録する記録ステップと、
前記シナリオデータの各シーンに対応した動画データを記録する場合の記録時間として、前記各シーンの推奨撮影時間と、所定の時間の何れかを、操作入力手段からの指示に応じて選択する選択ステップと、
前記シナリオデータの各シーンに対応する動画データを記録する場合、動画データの記録開始の指示に応じて前記動画データの記録を開始し、前記選択ステップで選択される記録時間が経過したことに応じて、前記動画データの記録を自動的に停止するように制御する制御ステップ
とを有することを特徴とする撮像装置の制御方法。
【手続補正２】
【補正対象書類名】明細書
【補正対象項目名】発明の名称
【補正方法】変更
【補正の内容】
【発明の名称】撮像装置とその制御方法
【手続補正３】
【補正対象書類名】明細書
【補正対象項目名】０００１
【補正方法】変更
【補正の内容】
【０００１】
本発明は、撮像装置とその制御方法に関し、より具体的には、動画を撮影する撮像装置とその制御方法に関する。
【手続補正４】
【補正対象書類名】明細書
【補正対象項目名】０００６
【補正方法】変更
【補正の内容】
【０００６】
本発明は、シナリオ撮影を行う場合に、自動で撮影を停止する機能を備える撮像装置とその制御方法を提供することを目的とする。
【手続補正５】
【補正対象書類名】明細書
【補正対象項目名】０００７
【補正方法】変更
【補正の内容】
【０００７】
本発明に係る撮像装置は、動画データを出力する撮像手段と、予め用意された１以上のシーンに対応した動画データを記録するためのデータであって、各シーンの推奨撮影時間の情報を含むシナリオデータを記憶するシナリオ記憶手段と、前記シナリオデータに基づいて、前記シナリオデータの各シーンに対応した、前記撮像手段により得られた動画データを記録媒体に記録する記録手段と、動画データの記録に関する指示を受ける操作入力手段と、前記シナリオデータの各シーンに対応した動画データを記録する場合の記録時間として、前記各シーンの推奨撮影時間と、所定の時間の何れかを、前記操作入力手段の指示に応じて選択する選択手段と、前記シナリオデータの各シーンに対応する動画データを記録する場合、動画データの記録開始の指示に応じて、前記記録手段による前記動画データの記録を開始し、前記選択手段により選択される記録時間の経過したことに応じて、前記記録手段による前記動画データの記録を停止する制御手段とを有することを特徴とする。
また、本発明にかかる撮影装置の制御方法は、予め用意された１以上のシーンに対応した、撮像手段により得られた動画データを記録するためのデータであって、各シーンの推奨撮影時間の情報を含むシナリオデータに基づいて、前記各シーンに対応した動画データを記録媒体に記録する記録ステップと、前記シナリオデータの各シーンに対応した動画データを記録する場合の記録時間として、前記各シーンの推奨撮影時間と、所定の時間の何れかを、操作入力手段からの指示に応じて選択する選択ステップと、前記シナリオデータの各シーンに対応する動画データを記録する場合、動画データの記録開始の指示に応じて前記動画データの記録を開始し、前記選択ステップで選択される記録時間が経過したことに応じて、前記動画データの記録を自動的に停止するように制御する制御ステップとを有することを特徴とする。
【手続補正６】
【補正対象書類名】明細書
【補正対象項目名】００３４
【補正方法】変更
【補正の内容】
【００３４】
図５は、自動停止モードの記録時間の設定画面の一例を示す。ユーザにより自動停止モードの記録時間の設定指示があると、制御部１０７は表示制御部１０５に図５に示すような設定画面５０１を表示する様に指示する。設定画面５０１には、記録時間として２秒の選択肢５０２、４秒の選択肢５０３、８秒の選択肢５０４が表示される。また、シナリオ撮影モードが設定された状態で自動停止モードの記録時間の設定指示があった場合には、更に、シナリオ連動設定情報５０５，５０６が表示される。シナリオ連動設定情報は、シナリオの推奨撮影時間に連動する旨の説明５０５と、チェックボックス５０６からなる。図５に示す例では、自動停止モードの記録時間として４秒が選択されている。制御部１０７は、撮影に適用するとしてユーザにより選択されたシナリオの推奨撮影時間を記録時間とするか、ユーザの指定する時間を記録時間とするかを選択する選択手段として機能する。また、シナリオ撮影モードが設定された状態で自動停止モードの記録時間の設定指示があった場合には、シナリオ連動設定情報５０５，５０６は表示されない様にする。或いは、シナリオ連動設定情報５０５，５０６をグレーアウト表示し、チェックボックス５０６にマーク又はチェックを付加できないようにする。